(57)【特許請求の範囲】
【請求項１】
対向可能な２つの筐体が、開閉機構を介して開閉自在に支持された携帯電子機器において、
前記開閉機構は、一方の筐体に設けられて前記対向方向の一方側に突出する突出部と、
該突出部の一方の側面から延出する中空状の回転軸と、
他方の筐体に設けられ前記回転軸を軸支する軸受部と、
を備え、
前記突出部は、内部に前記一方の筐体内に連通する空間部が形成され、
前記空間部は、該回転軸内を挿通されて前記一方の筐体と前記他方の筐体とに亘るケーブルが配索されるとともに、内部に第１電子部品及び前記第１電子部品を保持する保持部材が収容されており、
前記保持部材は、前記一方の筐体内の前記対向方向の他方側に配置される第２電子部品を支持することを特徴とする携帯電子機器。
【請求項２】
前記保持部材は、前記空間部に収容された状態で該空間部を閉塞することを特徴とする請求項１に記載の携帯電子機器。
【請求項３】
前記保持部材は、前記一方の筐体の内面と略同一平面状に位置する平面部を有し、当該平面部にて前記第２電子部品を支持することを特徴とする請求項１又は請求項２に記載の携帯電子機器。
【請求項４】
前記保持部材は、前記ケーブルの配索位置を規制する規制部を有することを特徴とする請求項１から請求項３の何れか一項に記載の携帯電子機器。
【請求項５】
前記突出部の他方の側面に、ヒンジユニットが挿通され、
前記保持部材には前記ヒンジユニットに係合する係合部を設けたことを特徴とする請求項１から請求項４の何れか一項に記載の携帯電子機器。
【請求項６】
前記第１電子部品は、振動発生器であることを特徴とする請求項１から請求項５の何れか一項に記載の携帯電子機器。
【請求項７】
前記突出部は、前記２つの筐体の開時に他方の筐体の内面側に露出し、前記２つの筐体の閉時に他方の筐体の外面側に露出する貫通孔が設けられ、
前記貫通孔は、前記空間部内に収容された前記第１電子部品の操作キーが隣接配置されていることを特徴とする請求項１から請求項６の何れか一項に記載の携帯電子機器。
【発明の詳細な説明】
【技術分野】
【０００１】
この発明は、携帯電子機器に関するものであり、特に、携帯電子機器の開閉機構に関するものである。
【背景技術】
【０００２】
従来、携帯電話機やＰＤＡ（Personal Digital Assistants）などの携帯電子機器においては、液晶表示部を備えた筐体と操作キーを備えた筐体とがヒンジを介して相互に開閉自在に構成された、いわゆる折りたたみ式のものが知られている（例えば、特許文献１参照）。
このような携帯電子機器においては、近年、多機能化が著しく、折りたたみ式の携帯電話機などにおいても、多くの場合、付加価値を高めるためにカメラモジュールなどの電子部品が搭載されている。これら携帯電子機器においては、更なる付加価値の向上を図るために、例えば、カメラモジュールにおけるズーム性能の向上、高画質化、および、カメラ以外の機能の追加などが要望されている。
【特許文献１】特開２００４−０３２２７１号公報
【発明の開示】
【発明が解決しようとする課題】
【０００３】
しかしながら、上述の携帯電子機器においては、付加価値を向上させると、例えば、部品点数が増加したり、電子部品が大型化するため、筐体としてより大型のものを採用する必要が生じるという課題がある。
また、前述した折りたたみ式の携帯電子機器においては、筐体間にフレキシブルプリント配線板（ＦＰＣ）等のプリント配線板が配索されており、筐体の開閉時にプリント配線板がこの動きを妨げないように、且つ、このプリント配線板が筐体の開閉動作に耐え得るようにするために、十分な空間を確保する必要があり、ヒンジ近傍に電子部品を収容するスペースを確保するのが困難であるという課題がある。
【０００４】
そこで、この発明は、筐体内に新たにスペースを確保することで筐体の大型化を抑制しつつ付加価値を高めることができる携帯電子機器を提供するものである。
【課題を解決するための手段】
【０００５】
上記の課題を解決するために、以下の手段を採用した。
本発明は、対向可能な２つの筐体が、開閉機構を介して開閉自在に支持された携帯電子機器において、前記開閉機構は、一方の筐体に設けられて前記対向方向の一方側（フロントケース側）に突出する突出部と、該突出部の一方の側面から延出する中空状の回転軸と、他方の筐体に設けられ前記回転軸を軸支する軸受部と、を備え、前記突出部は、内部に前記一方の筐体内に連通する空間部が形成され、前記空間部は、該回転軸内を挿通されて前記一方の筐体と前記他方の筐体とに亘るケーブルが配索されるとともに、内部に第１電子部品及び前記第１電子部品を保持する保持部材が収容されており、前記保持部材は、前記一方の筐体内の前記対向方向の他方側（リアケース側）に配置される第２電子部品を支持することを特徴とする。
【０００６】
また、前記保持部材は、前記空間部に収容された状態で該空間部を閉塞することを特徴とする。
【０００７】
また、前記保持部材は、前記一方の筐体の内面と略同一平面状に位置する平面部を有し、当該平面部にて前記第２電子部品を支持することを特徴とする。
【０００８】
また、前記保持部材が、前記ケーブルの配索位置を規制する規制部（例えば、実施の形態における規制孔３１）を有することを特徴とする。
【０００９】
また、前記突出部の他方の側面（例えば、実施の形態における側壁３３）に、ヒンジユニット（例えば、実施の形態におけるヒンジユニット３４）が挿通され、前記保持部には前記ヒンジユニットに係合する係合部（例えば、実施の形態における係合部５０）を設けたことを特徴とする。
【００１０】
また、前記第１電子部品が、振動発生器（例えば、実施の形態におけるモータＭ）であることを特徴とする。
【００１１】
また、前記突出部は、前記２つの筐体の開時に他方の筐体の内面側に露出し、前記２つの筐体の閉時に他方の筐体の外面側に露出する貫通孔（例えば、実施の形態における貫通孔２１）が設けられ、前記貫通孔は、前記空間部内に収容された前記第１電子部品の操作キー（例えば、実施の形態における操作キー２４）が隣接配置されていることを特徴とする。
【発明の効果】
【００１２】
本発明によれば、突出部内に空間部を形成し、ここに電子部品を配置して、突出部内の空間を有効利用することができるため、大型化することなく付加価値を高めることができる効果がある。
【００１３】
また、組付け時に、例えば、多機能化することで大型化の傾向にあるケーブルのコネクタを、回転軸を介して一方の筐体内部にスムーズに導くことができるため、組立て作業者の負担を軽減するとともに、この空間部を有効利用して電子部品を配置して筐体の小型化を図ることができる効果がある。
【発明を実施するための最良の形態】
【００１４】
次に、この発明の実施の形態を図面に基づいて説明する。なお、この実施の形態では、この発明の携帯電子機器として携帯電話機を一例に説明する。
図１において、１はこの実施の形態における携帯電話機を示しており、この携帯電話機１は、メインディスプレイ２を備えた第１筐体（一方の筐体）３と、キー操作部４を備えた第２筐体（他方の筐体）５とが基部に設けたヒンジ部（開閉機構）６を介して対向可能に折りたためるように開閉自在に支持されたものである。
【００１５】
第２筐体５の内面７には通話キー、終話キー等のキー操作部４が露出して設けられ、このキー操作部４の下方にマイクロフォン８が配置されている。さらに、この第２筐体５の基部に、第２筐体５の幅方向に沿う横長の凹状に形成された切り欠き部９が設けられており、この切り欠き部９の両側に配置された第２筐体５の上部がヒンジ部６の軸受部１０となっている。一方、第１筐体３には、その内面３ａにメインディスプレイ２が露出して配置され、このメインディスプレイ２の上方にスピーカ１１が配置されている。なお、このスピーカ１１の左右の内面３ａにはクッション材１２がそれぞれ取付けられており、このクッション材１２によって、第１筐体３と第２筐体５とを閉作動させた時に第１筐体３と第２筐体５の先端部どうしの接触を緩和するようになっている。
【００１６】
図２に示すように、第１筐体３は、その内面３ａを形成するフロントケース１３と、外面３ｂを形成するリヤケース１４とで構成されており、フロントケース１３には、前述したメインディスプレイ２よりも一回り小さいサブディスプレイ１５が配置されている。そして、リヤケース１４には、サブディスプレイ１５を第１筐体３の外側に露出するための窓１６が形成され、さらに、リヤケース１４の基部寄りには、カメラモジュール１８のレンズ部１８ａを第１筐体３の外側に露出するための窓１７が形成されている。
【００１７】
また、フロントケース１３の基部には、第１筐体３の内面側に突出する突出部１９が形成されている。この突出部１９は前述した切り欠き部９（図１参照）に対応して横長で凸状に形成されており、図１，２および図１０に示すように、この内側には空間部２０が形成されている。さらに、突出部１９の底壁１９ａには複数（例えば３つ）の貫通孔２１が並んで形成されており、この貫通孔２１によって、突出部１９の内側に設けられた空間部２０と第１筐体３の外側とが連通されている。
【００１８】
そして、突出部１９の空間部２０には、操作スイッチ（電子部品）２２が収容されており、この操作スイッチ２２のスイッチ本体２３には、操作キー２４が複数（例えば、３個程度）並んで突設されている。そして、図１０に示すように、スイッチ本体２３の下面が前述した底壁１９ａの内面に当接して配置されることで、操作キー２４が貫通孔２１から第１筐体３の外側を臨むように配置されることとなる。この操作キー２４は、スイッチ本体２３に設けられた図示しないバネ部材によって第１筐体３の外側に向かって付勢されており、操作キー２４を押すことで、スイッチ本体の下面に設けられた電極同士が接触し、この信号が第１筐体３に収容された回路基板２５に入力されるようになっている。ここで、操作キー２４は、携帯電話機１が開状態の場合に第１筐体３と第２筐体５との内面側に露出した貫通孔２１から臨設するように配置されるとともに、携帯電話機１が閉状態の場合には、第２筐体５の外面側に露出した貫通孔２１に臨設するように配置されている。
【００１９】
突出部１９には、第１筐体３の幅方向外側に配置された一方の側壁（一方の側面）２６から外側に向かって延出するダミーヒンジ（回転軸）２７が設けられている。このダミーヒンジ２７は、中空状に形成されており、ここに、第１筐体３に設けられた回路基板２５と第２筐体５に設けられた回路基板（図示せず）の間に亘ってこれらを接続する同軸ケーブル（ケーブル）２８が挿通されている。この同軸ケーブル２８の端部には、この同軸ケーブル２８に沿って複数の電極が配列された硬質樹脂製の多極コネクタ（コネクタ）２９が取付けられており、上述したダミーヒンジ２７の内径ｒは、多極コネクタ２９が挿通可能な大きさに設定されている。そして、前述した突出部１９の空間部２０は、同軸ケーブル２８の挿通方向の長さＬｔが多極コネクタ２９の長さＬｃよりも長く設定されており、同軸ケーブル２８の端部に多極コネクタ２９を接続した状態で、ダミーヒンジ２７の開口外側から導入して第１筐体３の内部に導くことができるようになっている。また、図２，４に示すように、ダミーヒンジ２７から第１筐体３内に導入された同軸ケーブル２８は、後述する仕切り部４６の規制孔（規制部）３１を介して第１筐体３内に導かれ、上述した多極コネクタ２９が、第１筐体３内に配置された回路基板２５のコネクタ３２と結合される。
【００２０】
一方、図３に示すように、突出部１９の他方の側壁（他方の側面）３３にはヒンジユニット３４が挿通されている。このヒンジユニット３４は、上述したダミーヒンジ２７と回転軸線が重なるように配置されており、これらダミーヒンジ２７とヒンジユニット３４とが軸受部１０，１０に回動自在に支持されることで第１筐体３と第２筐体５とが相互に開閉自在に構成されている。そして、ヒンジユニット３４によって、開閉時の開閉終期にトルクが付与されるようになっている。ここで、図１に示すように、これら第１筐体３と第２筐体５とは、開状態の時に、第１筐体３の下部の内面３ａと第２筐体５の上部の外面とが対向するように重なって配置される。
【００２１】
ところで、図２，１０に示すように、スイッチ本体２３の上面には、フレキシブルプリント配線板（以下、単にＦＰＣと呼ぶ）３５が配置されている。このＦＰＣ３５は、第１筐体３の内部に配置された回路基板２５に接続される配線部３６を備えており、このＦＰＣの上面には、回転軸に分銅４３が取付けられたバイブレータ用のモータ（電子部品、振動発生器）Ｍを保持するホルダ３７が配置されている。このホルダ３７は、主に第１筐体３の幅方向に沿う２つの対向する縦壁３８，３８と底壁３９とで形成されており、バイブレータ用のモータＭを保持する保持部４０と、モータＭの電気スイッチ台（図示せず）とをそれぞれ備えている。
【００２２】
前者の保持部４０は、２つの縦壁３８，３８の間に形成されており、モータＭの幅寸法よりも若干狭い間隔に形成されるとともに、上方に向けて開放された凹部４４を備えた複数の保持板４２で構成されており、図５にも示すようにモータＭを、このモータＭの回転軸が第１筐体３の幅方向に沿うようにホルダ３７に収容することで凹部４４の内壁がモータＭの側壁を両側から挟み込んで保持するようになっている。一方、後者の電気スイッチ台はホルダ３７の底壁３９に設けられたものであり、モータＭを保持部４０に挿入することで、モータＭに設けられた接点と、ＦＰＣ３５の接点との間の電気的接続が確立されるようになっている。ここで、前述したモータＭはダミーヒンジ２７から離れた位置に分銅４３が配置されるようにホルダに挿入されており、分銅４３が同軸ケーブル２８に干渉するのを防止するようになっている。一方、ホルダ３７の上縁には、各縦壁３８，３８の間に亘って配置されるとともに、空間部２０の開口部４５を被う仕切り部４６が配置されている。
【００２３】
図６〜８に示すように、この仕切り部４６は、硬質樹脂で形成されており、一部に孔を備える平面状に形成された仕切り部本体（平面部）４７と、この仕切り部本体４７の一方の側縁からそれぞれ延出形成された２本のアーム４８，４８と、これらのアーム４８，４８の先端に一体的に形成され、ビス孔を有する取付け座４９と、仕切り部本体４７の他方の側縁から仕切り部本体４７の略鉛直方向に延出して形成された係合部５０とで構成されている。ここで、前述したホルダ３７の各縦壁３８，３８の長手方向の長さは、仕切り部本体４７と略同一に形成されており、ホルダ３７が２本のアーム４８，４８の下方に配置されないようになっている。
【００２４】
２本のアーム４８，４８は、仕切り部本体４７の長手方向に沿って延出した後、この垂直方向に立ち上がり、その後再び仕切り部本体４７の長手方向に延びて形成される略クランク状を呈しており、これらアーム４８，４８の端部は、各アーム４８，４８間の内方に向かって屈曲形成され、ここにビス孔５１を備えた略円筒状の取付け座４９が一体的に形成されている。そして、これら仕切り部本体４７、２本のアーム４８，４８、取付け座４９とで囲まれて略矩形の規制孔３１が形成され、ここに前述した同軸ケーブル２８が挿通される。ここで、この規制孔３１は、多極コネクタ２９の挿通を許容する大きさに形成されている。
【００２５】
また、係合部５０には前述した延出方向に沿って係合溝５２が形成されている。この係合溝５２は、係合部５０の基部側の端部に開口部５３が形成され、さらに、この係合溝５２の両側縁から開口中央に向けて若干入り込むように鍔状の凸部５４，５４が対向して配置されている。一方、前述したヒンジユニット３４（図３参照）の基部にはフランジ部ｆ（図７参照）が形成され、このヒンジユニット３４のフランジ部ｆを係合溝５２に対して垂直方向外側から押し込むことで前記係合溝５２の凸部５４，５４がヒンジユニット３４のフランジ部ｆを保持して前記ヒンジユニット３４が仕切り部４６に固定されることとなる。ここで、仕切り部本体４７には、その長辺の外側から内側に向かって入り込む凹部５９が形成されている。
【００２６】
仕切り部４６の長手方向に沿った側縁には、孔５５を備えた複数の係合部５６が形成され、一方、図２に示すように、前述したホルダ３７の縦壁３８の上縁には、係合部５０に対応した位置に複数の爪５７が上方に向けて突設され、これら係合部５０の孔５５にホルダ３７の爪５７を挿入することで、係合部５０の孔５５の周縁に爪５７が係止されて、ホルダ３７に仕切り部４６が固定されている。これら、仕切り部４６とホルダ３７とによってモータホルダ（保持部材）５８が構成されている。
【００２７】
そして、モータホルダ５８が空間部２０に収容された状態では、仕切り部本体４７が空間部２０を閉塞し、図１０に示すように、仕切り部本体４７の上面４７ａとフロントケース１３の内面とが略同一平面状に位置するように設定されている。ホルダ３７の縦壁３８の上縁には（図２参照）、仕切り部本体４７の凹部５９に対応した位置の上方に向かって延びる平板状の延出部６０が形成されており、延出部６０は、突出部１９の下壁６１の内面から凹部５９を経てリヤケース１４の下壁６２の内面に当接し、カメラモジュール１８の上面よりも若干内側の位置に至るように形成されている。
【００２８】
図９，１０に示すように、仕切り部本体４７の上面４７ａと、この上面４７ａに隣接するフロントケース１３の内面１３ａとで構成された同一平面上には、カメラモジュール１８が配設されている。このカメラモジュール１８と、リヤケース１４の下壁６２との間に配置された上述の延出部６０は、この上部から下部に向けて厚さが徐々に厚くなるように形成されており、この延出部６０と対向するフロントケースの縦壁６３との間に上述したカメラモジュール１８を嵌め込むことで、カメラモジュール１８が仕切り部４６の上方に配置された状態で延出部６０と縦壁６３とに挟み込まれて固定されるようになっている。このとき、カメラモジュール１８の下面６４とフロントケース１３の内面１３ａとの間にはＦＰＣ３５の配線部３６が配索され、一方、カメラモジュール１８のレンズ部１８ａは、前述したリヤケース１４の窓１７に対応する位置に配置されるようになっている。
【００２９】
以上のように構成された携帯電話機１の第１筐体３において、突出部１９の空間部２０に操作スイッチ２２とバイブレータのモータＭとを収容するとともに、その上方にカメラモジュール１８を取付ける手順を図２〜６，９に基づいて説明する。
まず、図３に示すように、第１筐体３のフロントケース１３に形成された突出部１９にダミーヒンジ２７を取付け、このダミーヒンジ２７を介して、予め多極コネクタ２９が取付けられた同軸ケーブル２８を挿通させる。突出部１９の空間部２０に多極コネクタ２９の全体が配置された状態となったら、この多極コネクタ２９の端部を立ち上げて突出部１９の空間部２０から多極コネクタ２９を取り出す。そして、図４に示すように、一旦、空間部２０の開口部４５を遮らないように同軸ケーブル２８を仮固定しておき、空間部２０に操作スイッチ２２を挿入する。この時、スイッチ本体２３の操作キー２４（図１０参照）を貫通孔２１から外部に臨設配置させる。そして、図５に示すように、操作スイッチ２２の上にＦＰＣ３５を載置する。
【００３０】
次に、分銅４３が同軸ケーブル２８から遠い位置となるようにホルダ３７の保持部４０にモータＭを挿入し、このモータＭが固定されたら、ホルダ３７の上に仕切り部４６を固定して、ホルダ３７の底壁３９が下となるようにつまり、図１０に示すように、底壁３９がＦＰＣ３５に接するようにモータホルダ５８を空間部２０に収容する。このときに、仕切り部４６に形成された規制孔３１に、仮固定してあった同軸ケーブル２８の多極コネクタ２９を挿通してこの多極コネクタ２９を回路基板２５のコネクタ３２に接続する。さらに、仕切り部４６の取付け座４９を図示しないビスによって、フロントケース１３のボス６６に固定する。
【００３１】
また、図９に示すように、上述の同軸ケーブル２８はダミーヒンジから立ち上がった後、規制孔３１に挿通されるが、その後、第１筐体３の上部に向けて屈曲され、さらに、第１筐体３の幅方向外側に向かってクランク状に屈曲されて、コネクタ３２に向かって配索されている。このように配索させることで、同軸ケーブル２８が仕切り部本体４７の上面４７ａに被らないのでカメラモジュール１８を取付ける際の妨げとならない。
【００３２】
さらに、上述のＦＰＣ３５に設けられた配線部３６を回路基板２５に接続するとともに、側壁３３に挿通されているヒンジユニット３４の基部に仕切り部４６の係合部５０の係合溝５２を嵌合させて固定する。その後、仕切り部４６の上方にカメラモジュール１８を嵌入させて、このカメラモジュール１８の配線部６５を回路基板２５に接続する。次いで、フロントケース１３とリヤケース１４とを図示しない係合手段によって結合させて第１筐体の組立てを終了する。
【００３３】
したがって、上述した実施の形態によれば、フロントケース１３に突出部１９を形成し、この突出部１９内に空間部２０を形成し、ここに例えば、操作キー２４を備えた操作スイッチ２２とバイブレータ用のモータＭとを配置して、突出部１９内の空間部２０を有効利用することができるため、第１筐体３、第２筐体５を大型化することなく携帯電話機１の付加価値を高めることができる。
【００３４】
また、第１筐体３の組付け時に、多機能化によって多極化した多極コネクタ２９を、ダミーヒンジ２７を介して第１筐体３の内部にスムーズに導くことができるため、組立て作業の負担を軽減するとともに、多極コネクタ２９の長さよりも長く設定された空間部２０を有効利用して携帯電話機１の筐体の小型化を図ることができる。
【００３５】
さらに、バイブレータ用のモータＭの位置が動かないようにモータホルダ５８によって保持することができるため、ガタツキを抑制して信頼性を向上することができる。
そして、第１筐体３のフロントケース１３の内面１３ａと仕切り部本体４７の上面４７ａとを略同一平面状に形成することができるため、略同一平面状となった部分に容易にカメラモジュール１８などの電子部品を配設することができる。
【００３６】
また、仕切り部４６の同軸ケーブル２８の配索位置を規制することができるため、同軸ケーブル２８の撓みなどを抑制することができ、この結果、同軸ケーブル２８の耐久性を向上することができる。
【００３７】
さらに、仕切り部４６の係合部５０によってヒンジユニット３４がこの軸方向に移動するのを規制することができるため、更なる信頼性の向上を図ることができる。
また、バイブレータ用のモータＭを第１筐体３と第２筐体５の略中央部分すなわち、ヒンジ部６の近傍に配置することができるため、振動を第１筐体３と第２筐体５との両者に効率よく伝達させることができる。
【００３８】
そして、第１筐体３、第２筐体５が開状態であるときに第２筐体５の内面５ａ側に配置される突出部１９のスペースを有効利用してここに操作キー２４を配置することができるため、操作キー２４を利用した新機能を追加することができ、したがって、大型化することなく携帯電話機１の付加価値を向上させることができる。
【００３９】
なお、上述した実施の形態では、仕切り部４６の取付け座４９を２つのアーム４８の端部に一体的に設け同軸ケーブル２８を規制する規制孔３１を孔形状としているが、例えば、一つのアーム４８の端部に取付け座４９を設けたいわゆる片持ち形状として、規制孔３１を凹状の規制部として構成してもよい。
また、この実施の形態では携帯電話機を一例に説明したが、携帯電話機以外の携帯電子機器（例えばＰＤＡ等）にも適用することができる。さらに、この実施の形態では第１筐体３側に突出部１９を設ける構成としたが、第２筐体側に突出部を設けて第１筐体側に切り欠き部を設けるようにしてもよい。
【図面の簡単な説明】
【００４０】
【図１】本発明の実施の形態における携帯電話機の開時の正面図である。
【図２】本発明の実施の形態における第１筐体の分解斜視図である。
【図３】本発明の実施の形態における第１筐体の部分説明図である。
【図４】本発明の実施の形態における第１筐体の部分説明図である。
【図５】本発明の実施の形態における第１筐体の部分説明図である。
【図６】本発明の実施の形態における仕切り部の斜視図である。
【図７】本発明の実施の形態における図６のＡ矢視図である。
【図８】本発明の実施の形態における図７のＢ矢視図である。
【図９】本発明の実施の形態におけるカメラモジュールの組立て説明図である。
【図１０】本発明の実施の形態における図１のＣ−Ｃ線に沿う断面図を簡略化したものである。
【符号の説明】
【００４１】
３  第１筐体（一方の筐体）
５  第２筐体（他方の筐体）
６  ヒンジ部（開閉機構）
１０  軸受部
１３ａ  内面
１９  突出部
２０  空間部
２１  貫通孔
２２  操作スイッチ（電子部品）
２４  操作キー
２６  側壁（一方の側面）
２７  ダミーヒンジ（回転軸）
２８  同軸ケーブル（ケーブル）
２９  多極コネクタ（コネクタ）
３１  規制孔（規制部）
３３  側壁（他方の側面）
３４  ヒンジユニット
Ｍ  モータ（電子部品、振動発生器）
４７  仕切り部本体（平面部）
５０  係合部
５８  モータホルダ（保持部材）
【図１】
0004680029.tif 000002
【図２】
0004680029.tif 000003
【図３】
0004680029.tif 000004
【図４】
0004680029.tif 000005
【図５】
0004680029.tif 000006
【図６】
0004680029.tif 000007
【図７】
0004680029.tif 000008
【図８】
0004680029.tif 000009
【図９】
0004680029.tif 000010
【図１０】
0004680029.tif 000011